(57)【要約】【課題】複数枚の原稿の読み取りが完了する前に、原稿のサイズ、出力倍率、原稿の枚数、記録部数に基づいて複数丁掛記録が可能か否かを判断し制御することが可能な画像読取記録装置を提供することを目的とする。【解決手段】１回の記録プロセスにより複数枚の記録紙のそれぞれに画像を記録する複数丁掛記録が可能な画像読取記録装置１において、原稿のサイズ及び出力倍率に基づいて取得される記録紙のサイズがこの装置１により記録可能な最大の記録紙サイズの半分以下であって、原稿の枚数及び記録部数に基づいて取得される記録枚数が２枚以上である場合に複数丁掛記録を選択して実行し、その他の場合は一丁掛記録を選択して実行することを特徴とする画像読取記録装置１。【選択図】      図５
2004158959.tif 000002
【特許請求の範囲】
【請求項１】
１回の記録プロセスにより複数枚の記録紙のそれぞれに画像を記録する複数丁掛記録が可能な画像読取記録装置において、
原稿のサイズ及び出力倍率に基づいて取得される記録紙のサイズがこの装置により記録可能な最大の記録紙サイズの半分以下であって、原稿の枚数及び記録部数に基づいて取得される記録枚数が２枚以上である場合に複数丁掛記録を選択して実行し、その他の場合は一丁掛記録を選択して実行することを特徴とする画像読取記録装置。
【請求項２】
１回の記録プロセスにより複数枚の記録紙のそれぞれに画像を記録する複数丁掛記録が可能な画像読取記録装置において、
原稿のサイズ及び出力倍率に基づいて取得される記録紙のサイズがこの装置により記録可能な最大の記録紙サイズの半分以下であって、
原稿が自動原稿給送部に載置され１枚目の原稿を読み取った段階で次ページの原稿を検出した場合、或いは、原稿がフラットベッド読取部又は前記自動原稿給送部に載置され記録部数が２部以上である場合に複数丁掛記録を選択して実行し、その他の場合は一丁掛記録を選択して実行することを特徴とする画像読取記録装置。
【請求項３】
読み取った原稿の画像データを、第１から第ｎまでのｎ種の色彩データに変換し、各色彩データに基づいて前記画像データを記録紙に記録する画像読取記録装置において、
複数枚の原稿を読み取って複数丁掛記録を実行する場合には、当該複数枚の原稿の画像データのそれぞれについて少なくとも第１の色彩データへの変換を行った後に、記録紙へ画像データを記録するための動作を開始する制御を行うことを特徴とする請求項１又は２記載の画像読取記録装置。
【発明の詳細な説明】
【０００１】
【発明の属する技術分野】
本発明は、画像読取記録装置に関し、詳しくは一回の記録プロセスで２枚以上の記録紙に画像を記録する画像読取記録装置に関するものである。
【０００２】
【従来の技術】
従来の電子写真方式による画像読取記録装置では、Ｋ（ブラック）、Ｃ（シアン）、Ｍ（マゼンタ）、Ｙ（イエロー）の４色のトナーを使用し、各色の色彩データに基づいて像を現像しその像を転写体上に転写させるまでのサイクルを各色の色彩データに対しそれぞれ行い、これらの像を転写体上で重ね合わせることによって形成されたカラー画像を記録紙に一括転写させる４サイクル方式によりカラー画像の記録が行われる。この４サイクル方式によるカラー画像の記録では、ＫＣＭＹの４色についてそれぞれの像を転写体上に形成してからカラー画像を記録紙に記録するため、モノクロ画像の記録に比べて約４倍の時間を必要とする。そのため、カラー画像を複数枚の記録紙に記録する場合には、記録に要する時間が長くなるということが問題となっていた。
【０００３】
これに対し、所定サイズ以下の複数枚の記録紙への印刷が指示された場合、１枚の記録紙へ記録するのと同様の１回の記録プロセスで隙間なく連座して供給された２枚の記録紙のそれぞれに画像を記録する二丁掛記録が可能な印刷装置がある（特許文献１参照。）。この印刷装置は、データ受信部で最も過去に受信した未処理の２枚の画像データから各画像データがカラーデータかモノクロデータかを判断し、図６の（ａ）及び（ｂ）に示すように両データが共にモノクロデータであるタイプ番号０の場合、転写体上にＫ色のみの画像を形成して一丁掛モノクロ記録により画像を記録し、最も過去に受信した未処理の２枚の画像データにカラーデータが含まれているタイプ番号１乃至３の場合、二丁掛カラー記録により画像の記録を行う。なお、タイプ番号０の一丁掛モノクロ記録では、１枚目の画像の記録中に２枚目の記録紙が給紙されるため、１枚目の記録が行われた後、即座に２枚目の画像の記録が行われる。
【０００４】
従って、２枚の画像データが共にカラーデータである場合、二丁掛カラー記録を行うことによりそれぞれの画像を１枚ずつ記録する一丁掛カラー記録に比べ約半分の時間で画像を記録することができ、また、２枚の画像データがカラーデータとモノクロデータである場合、一丁掛カラー記録と一丁掛モノクロ記録により画像を記録したタイプ番号（１）又は（２）の記録よりも短い時間で画像を記録することが可能である。
【０００５】
【特許文献１】
特開２００１−３２８３２２号公報（第１１頁、第１１図）
【０００６】
【発明が解決しようとする課題】
しかしながら、この印刷装置では、データ受信部で受信した未処理の２枚の画像データを基に二丁掛カラー記録を行うか否かを判断し制御しているため、コピー印刷を行う場合など原稿の画像データがデータ受信部に読み込まれるまでは二丁掛カラー記録による記録が可能か否かを判断することはできない。
【０００７】
本発明は、上記課題に鑑みてなされたものであって、複数枚の原稿の読み取りが完了する前に、原稿のサイズ、出力倍率、原稿の枚数、記録部数に基づいて複数丁掛記録が可能か否かを判断し制御することが可能な画像読取記録装置を提供することを目的とする。
【０００８】
【課題を解決するための手段】
上記目的を達成するために、請求項１記載の画像読取記録装置は、１回の記録プロセスにより複数枚の記録紙のそれぞれに画像を記録する複数丁掛記録が可能な画像読取記録装置において、原稿のサイズ及び出力倍率に基づいて取得される記録紙のサイズがこの装置により記録可能な最大の記録紙サイズの半分以下であって、原稿の枚数及び記録部数に基づいて取得される記録枚数が２枚以上である場合に複数丁掛記録を選択して実行し、その他の場合は一丁掛記録を選択して実行することを特徴としている。
【０００９】
請求項２記載の画像読取記録装置は、１回の記録プロセスにより複数枚の記録紙のそれぞれに画像を記録する複数丁掛記録が可能な画像読取記録装置において、原稿のサイズ及び出力倍率に基づいて取得される記録紙のサイズがこの装置により記録可能な最大の記録紙サイズの半分以下であって、原稿が自動原稿給送部に載置され１枚目の原稿を読み取った段階で次ページの原稿を検出した場合、或いは、原稿がフラットベッド読取部又は前記自動原稿給送部に載置され記録部数が２部以上である場合に複数丁掛記録を選択して実行し、その他の場合は一丁掛記録を選択して実行することを特徴としている。
【００１０】
請求項３記載の画像読取記録装置は、読み取った原稿の画像データを、第１から第ｎまでのｎ種の色彩データに変換し、各色彩データに基づいて前記画像データを記録紙に記録する画像読取記録装置において、複数枚の原稿を読み取って複数丁掛記録を実行する場合には、当該複数枚の原稿の画像データのそれぞれについて少なくとも第１の色彩データへの変換を行った後に、記録紙へ画像データを記録するための動作を開始する制御を行うことを特徴としている。
【００１１】
【発明の実施の形態】
以下、本発明の実施の形態に係る画像読取記録装置をコピー機能、ファクシミリ機能、インターネットファクシミリ機能、スキャナ機能及びプリンタ機能を有する複合機に適用した場合について図面に基づき説明する。図１に示すように、画像読取記録装置１は、制御部（ＭＰＵ）２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、原稿読取部５、操作部６、表示部７、通信部８、変換回路１１、メモリ管理回路１２、コーデック１３、画像メモリ１４、記録部１５及びＬＡＮＩ／Ｆ（Ｌｏｃａｌ  Ａｒｅａ  Ｎｅｔｗｏｒｋ  Ｉｎｔｅｒｆａｃｅ）１６を備えたものであって、各部２乃至１６は、バス１７によって通信可能に接続されている。
【００１２】
前記制御部２は、所定のプログラムに従って、この画像読取記録装置１を構成する各部を制御する。
【００１３】
前記ＲＯＭ３は、前記制御部２によりこの画像読取記録装置１の各部の動作が制御されるための各種プログラムを記憶しているメモリである。具体的には、画像データを記録紙に記録する場合に、複数丁掛記録が可能か否かを判断し制御するための判断処理プログラムや、原稿読取部５で読み取られた画像データに対し記録部１５で記録紙に記録されるまでに行われる補正、色変換などを行うための画像処理プログラムを記憶している。
【００１４】
前記ＲＡＭ４は、登録されたファクシミリ番号、メールアドレス等を記憶する記憶部として、また、コピーを行う際に原稿読取部５に載置された原稿のサイズ及び操作部６において設定された出力倍率に基づいて取得する記録紙のサイズ、原稿読取部５に載置された原稿の枚数及び操作部６において設定された記録部数に基づいて取得する記録枚数などの諸データを一時的に記憶する記憶部として機能するメモリである。
【００１５】
前記原稿読取部５は、自動原稿給送部（ＡＤＦ：Ａｕｔｏｍａｔｉｃ  Ｄｏｃｕｍｅｎｔ  Ｆｅｅｄｅｒ）５ａ及びフラットベッド読取部（ＦＢＳ：Ｆｌａｔ  Ｂｅｄ  Ｓｃａｎｎｅｒ）５ｂを備えており、カラーＣＣＤ（Ｃｈａｒｇｅ  Ｃｏｕｐｌｅｄ  Ｄｅｖｉｃｅ）により原稿の画像データの読み取りを行うと共に原稿のサイズの検出を行い、前記自動原稿給送部５ａは、原稿の読み取りを行った後に、次ページの原稿があるか否かの検出を行う。
【００１６】
前記操作部６は、ファクシミリ番号、記録部数等を入力するためのテンキー、前記原稿読取部５に載置された原稿の読み取り動作の開始及びファクシミリ送信を指示するためのスタートキー、各種設定を行うためのカーソルキー等から構成される操作キーを具備しており、この画像読取記録装置１において複数丁掛記録が可能な場合に、自動的に複数丁掛記録を選択して実行させるか否かの設定はこの操作部６において行われる。
【００１７】
前記表示部７は、この画像読取記録装置１の状態に関する情報、各種操作指示入力画面、エラー警告、設定状態、動作状態等を表示する液晶表示装置やＬＥＤランプを具備している。
【００１８】
前記通信部８は、モデム９及びＮＣＵ（Ｎｅｔｗｏｒｋ  Ｃｏｎｔｒｏｌ  Ｕｎｉｔ）１０を備えており、モデム９は、例えばＩＴＵ−Ｔ（国際電気通信連合）の勧告Ｖ．３４規格又はこれと同様のものに従った送受信データの変調及び復調を行い、ＮＣＵ１０は、電話回線を制御して電話をかけたり、切ったりする回線網制御装置であり、ＰＳＴＮ（Ｐｕｂｌｉｃ  Ｓｗｉｔｃｈｅｄ  Ｔｅｌｅｐｈｏｎｅ  Ｎｅｔｗｏｒｋ）１８に接続されている。
【００１９】
前記変換回路１１は、第１変換回路１１ａ及び第２変換回路１１ｂを備えており、第１変換回路１１ａは、前記原稿読取部５で読み取られたＲＧＢ表色系の画像データのシェーディング補正、ライン補正等の各種補正等を行うと共に、そのＲＧＢ表色系の画像データをＬ＊ａ＊ｂ＊表色系へと変換する回路であり、第２変換回路１１ｂは、前記第１変換回路１１ａでＬ＊ａ＊ｂ＊表色系に変換された画像データをＫＣＭＹの出力表色系へと変換すると共に誤差拡散処理等を行って二値化する処理を行う回路である。なお、カラー原稿をモノクロで記録する場合、前記原稿読取部５で読み取られたカラー多値データは、前記第１変換回路１１ａにおいてモノクロ多値データに変換される。
【００２０】
前記メモリ管理回路１２は、多値メモリ管理回路１２ａ及び二値メモリ管理回路１２ｂを具備しており、多値メモリ管理回路１２ａは、前記第１変換回路１１ａで処理された画像データを多値メモリ１４ｂに蓄積すると共に、該多値メモリ１４ｂに蓄積されている画像データを所定の出力先へ出力する管理を行う回路であり、二値メモリ管理回路１２ｂは、前記第２変換回路１１ｂで処理され二値化された画像データ及びプリントコーデック１３ｃで復号化された画像データを二値メモリ１４ｃに蓄積すると共に、該二値メモリ１４ｃに蓄積されている画像データを所定の出力先へ出力する管理を行う回路である。
【００２１】
前記コーデック１３は、所定のプロトコルに対応して符号化（エンコード）・復号化（デコード）するものであり、ＪＰＥＧ（Ｊｏｉｎｔ  Ｐｈｏｔｏｇｒａｐｈｉｃ  Ｅｘｐｅｒｔｓ  Ｇｒｏｕｐ）コーデック１３ａ、スキャナコーデック１３ｂ及びプリントコーデック１３ｃを具備している。前記ＪＰＥＧコーデック１３ａは、前記原稿読取部５で読み取られた画像データをクライアントＰＣ２０に送出する場合等、多値メモリ１４ｂに蓄積された画像データをＪＰＥＧ方式に対応して符号化するものである。前記スキャナコーデック１３ｂは、二値メモリ１４ｃに蓄積された画像データをＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）方式等により符号化するものであり、電子メールに添付可能なファイルとして一般的に利用される画像フォーマットであるＴＩＦＦ（Ｔａｇｇｅｄ  Ｉｍａｇｅ  Ｆｉｌｅ  Ｆｏｒｍａｔ）方式にも対応して符号化するものである。前記プリントコーデック１３ｃは、符号化メモリ１４ａに蓄積されている画像データを記録紙へ記録するために記録部１５の記録動作に合わせてＫＣＭＹの各色彩データに復号化するものである。
【００２２】
前記画像メモリ１４は、符号化メモリ１４ａ、多値メモリ１４ｂ及び二値メモリ１４ｃを具備しており、符号化メモリ１４ａは、ファクシミリ受信、或いはクライアントＰＣ２０から受信した画像データや前記原稿読取部５で読み取られ符号化された画像データを一時的に記憶するメモリであり、多値メモリ１４ｂは、前記第１変換回路１１ａでＬ＊ａ＊ｂ＊表色系に変換された多値の画像データを一時的に記憶するメモリであり、二値メモリ１４ｃは、前記第２変換回路で二値化された画像データ等を一時的に記憶するメモリである。
【００２３】
前記記録部１５は、電子写真方式のものからなり、前記原稿読取部５で読み取られた画像データやファクシミリ受信した画像データ等に白マスク、スムージング等の処理を行った後、記録紙に記録する部分である。この記録部１５は、図２に示すように中間転写ドラム２５、中間転写ベルト２６、トナー２７、露光装置２８、転写ローラ２９、定着器３０、用紙トレイ３１等を具備している。
【００２４】
前記ＬＡＮＩ／Ｆ１６は、ＬＡＮ（Ｌｏｃａｌ  Ａｒｅａ  Ｎｅｔｗｏｒｋ）１９とのインターフェイスを備えており、この画像読取記録装置１とＬＡＮ１９を介してクライアントＰＣ２０、メールサーバ２１等とを通信可能に接続している。
【００２５】
上記構成を備える前記画像読取記録装置１は、ＬＡＮ１９を通じてクライアントＰＣ２０、メールサーバ２１及びルータ２２と通信可能に接続されており、原稿読取部５で読み取られた画像データを記録紙に記録するコピー機能の他に、インターネット２３を通じて他のインターネットファクシミリ装置等（不図示）に対して画像データを電子メールに添付して送受信するインターネットファクシミリ機能、前記ＰＳＴＮ１８を通じて他のＧ３ファクシミリ装置（不図示）に対してファクシミリ送受信するファクシミリ機能、ＬＡＮ１９を通じてクライアントＰＣ２０から送出される画像データを受信して記録紙に記録するネットワークプリンタ機能等を備える。
【００２６】
以下、原稿読取部５において読み取られた原稿の画像データがＫＣＭＹの４種の色彩データに変換され記録紙に記録されるまでに行われる画像処理のデータ転送の流れについて図１及び図３に基づいて説明する。
【００２７】
図３に示すように、原稿読取部５の備えるカラーＣＣＤによって読み取られた原稿の画像データは、ＡＤコンバータ（不図示）によってデジタル信号に変換された後、前記第１変換回路１１ａによって画像処理が行われた後、前記多値メモリ１４ｂに一時的に蓄積される。すなわち、処理Ｃ１においてシューディング補正、ライン補正及びずれ補正の入力色補正が行われ、続いて処理Ｔ１においてＲＧＢ表色系から、例えば、Ｌ＊ａ＊ｂ＊表色系へと入力色変換が行われ、処理Ｃ４において拡大、縮小、地色補正等が行われた後、前記多値メモリ管理回路１２ａによって多値メモリ１４ｂに一時的に蓄積される（処理Ｃ２ａライト）。なお、前記原稿読取部５で読み取られたカラー画像データをモノクロで記録紙に記録する場合には、カラー画像データは処理Ｃ４においてモノクロ画像データに変換されてから多値メモリ１４ｂに蓄積される。
【００２８】
その後、多値メモリ１４ｂに一時的に蓄積された画像データは、前記多値メモリ管理回路１２ａによって読み出され（処理Ｃ２ａリード）、第２変換回路１１ｂへと送られ、そこで処理Ｔ２においてＬ＊ａ＊ｂ＊表色系から画像データを記録紙に記録するためのＫＣＭＹの各色彩データへと出力色変換される。これらＫＣＭＹの各出力色に変換された色彩データは、処理Ｃ５において誤差拡散処理等が行われて二値化された後、前記二値メモリ管理回路１２ｂによって前記二値メモリ１４ｃに一時的に蓄積される（処理Ｃ２ｂライト）。
【００２９】
前記二値メモリ１４ｃに蓄積された各色彩データは、二値メモリ管理回路１２ｂによって読み出され（処理Ｃ２ｂリード）、前記スキャナコーデック１３ｂに送られた後、符号化されて符号化メモリ１４ａに蓄積される。
【００３０】
符号化され符号化メモリ１４ａに蓄積された色彩データは、前記記録部１５の動作に合わせて所定のタイミングでプリントコーデック１３ｃによって各色彩データ毎に復号化された後、前記二値メモリ管理回路１２ｂによって二値メモリ１４ｃに一時的に蓄積される。この各色彩データは、各色彩データ毎に記録紙に記録するのに必要なページ分の復号化が完了し二値メモリ１４ｃに蓄積された段階で二値メモリ管理回路１２ｂによって二値メモリ１４ｃから読み出され（Ｃ２ｂリード）、各色彩データ毎に記録部１５へと送られる。
【００３１】
前記記録部１５へと送られた各色彩データは、白マスク、スムージング等の画像処理が施された後、前記記録部１５によって記録紙に記録される。そこで、以下に原稿読取部５によって読み取られた複数枚の原稿の画像データが図２に示した前記記録部１５によって二丁掛記録により記録紙に記録される場合を例として、上記の原稿の読み取りから記録部１５で記録されるまでに行われる画像処理のタイミング及び記録部１５で行われる各色彩データの記録動作の一例について図２乃至４に基づいて説明する。
【００３２】
図３及び図４に示すように、原稿読取部５で読み取られた画像データは、前記第１変換回路１１ａによって各種補正、色変換等が行われ多値メモリ１４ｂに蓄積された後出力色変換が行われるが、前記第２変換回路１１ｂの処理Ｔ２におけるその出力色変換は、多値メモリ１４ｂに所定のライン数、例えば、１００ラインの画像データが蓄積された時点で開始される。これは、原稿の画像データが読み取られてから出力色変換されるまでにかかる時間を短縮するためである。従って、原稿読取部５における原稿の読み取り及び第１変換回路１１ａにおける画像処理が行われると共に所定のライン数の画像データが読み取られてから１枚目の原稿の画像データに関しＫ成分、Ｃ成分の色彩データへの変換が行われた後、２枚目の原稿の画像データに関しＫ成分、Ｃ成分の色彩データへの変換が行われる。その後、この時点で既に読み取りが完了し前記多値メモリ１４ｂに蓄積されている１枚目と２枚目の原稿の画像データに関しＭ成分、Ｙ成分の色彩データへの変換が引き続き行われる。
【００３３】
よって、２枚目の原稿のＫ成分についての色彩データへの変換が完了した時点で、原稿の１枚目及び２枚目のＫ成分に関する色彩データへの変換が完了しており、Ｋ成分に関する２ページ分の像を形成することが可能なので、この時点で前記記録部１５における処理Ｃ３を開始する。すなわち、図２に示すように所定のタイミングで中間転写ベルト２６、中間転写ドラム２５、転写ローラ２９をそれぞれ矢印方向に回転させると共に、中間転写ドラム２５、帯電装置（不図示）、転写ローラ２９に所定のバイアス電圧を印加する。そして、中間転写ベルト２６に対して露光装置２８によって前記二値メモリ管理回路１２ｂから送られてきたＫ成分の色彩データに基づいて１枚目及び２枚目の原稿のＫ成分に関する静電潜像を形成し、その静電潜像に関するＫ色のトナー２７ａを接触させることにより中間転写ベルト２６上にトナー現像させる。現像後のトナー像は、前記中間転写ベルト２６及び前記中間転写ドラム２５の回転により該中間転写ドラム２５上に転写される。その後、前記中間転写ベルト２６に対しては除電及びクリーニング処理が行われ、他の色彩データの現像に備える。
【００３４】
このように二丁掛記録を行う場合、１枚目の原稿の画像データに対してＫＣＭＹ全ての色彩データへの変換を完了する前に、２枚目の原稿の画像データの第１の色彩データ、本実施の形態ではＫ成分の色彩データへの変換を先に行うことで、１枚目の原稿に関する全ての色彩データへの変換を完了した後に２枚目の画像の色彩データへの変換を行って二丁掛記録を行う場合に比べ、より早いタイミングで画像を記録する動作を開始することができるため、より短い時間での画像記録が可能である。
【００３５】
Ｋ成分の色彩データの転写が完了した後、上記の転写プロセスをＣ、Ｍ、Ｙの各色彩データについても順次行い、前記中間転写ドラム２５上にＫＣＭＹの４色からなる２ページ分のカラー画像３２ａ及び３２ｂを形成させる。続いて、所定のタイミングで用紙トレイ３１から２枚の記録紙が連続して中間転写ドラム２５と転写ローラ２９の間に供給されると共に、所定の転写バイアス電圧を印加することによりカラー画像３２ａ及び３２ｂは２枚の記録紙上に転写される。この画像が転写された後の記録紙は、除電剥離された後、前記カラー画像３２ａ及び３２ｂを定着させるために定着装置３０によって加熱処理が行われた後、図外の排紙トレイ上に排出される。また、記録紙に記録される画像にモノクロ画像が含まれている場合であっても、同様に二丁掛記録による画像の記録を行うことが可能である。
【００３６】
ここでは二丁掛記録について説明したが、三丁掛以上の場合も同様に複数枚の原稿の画像データについて、少なくとも第１の色彩データへの変換が完了した後に記録紙へ画像データを記録するための動作を開始して複数枚の記録紙に画像を記録すると好適である。
【００３７】
以下、自動原稿給送部５ａ又はフラットベッド読取部５ｂに載置された原稿の画像データを記録紙に記録する場合に、複数丁掛記録を実行するか又は一丁掛記録を実行するかを判断する動作処理について、複数丁掛記録が二丁掛記録である場合を例として図５のフローチャートに基づいて説明する。
【００３８】
前記原稿読取部５に原稿が載置されると、前記制御部２はその原稿が自動原稿給送部（ＡＤＦ）５ａに載置されたのか、又はフラットベッド読取部（ＦＢＳ）５ｂに載置されたのかを判断する（Ｓ１）。原稿がフラットベッド読取部５ｂに載置された場合（Ｓ１：ＦＢＳ）、原稿の枚数は１枚であると判断することができる。そこで次に、原稿の読み取りの際に検出された原稿のサイズ及び前記操作部６においてスタートキー押下前に予め設定されている出力倍率に基づいて前記ＲＡＭ４に予め記憶されている記録紙のサイズがこの画像読取記録装置１により記録可能な最大の記録紙サイズの半分以下であるか否かを判断する（Ｓ２）。なお、最大の記録紙サイズの半分以下とは、記録紙を２枚以上並べて配置したときに最大の記録紙サイズ内に納まるサイズであり、例えば、この画像読取記録装置１により記録可能な最大の記録紙サイズがＡ３（日本工業規格Ａ列３番）である場合には、Ａ３と縦方向の長さが同じで横方向の長さが半分のサイズに該当するＡ４Ｒ以下のサイズであるか否かを判断する。ここで、画像が記録される記録紙のサイズがこの画像読取記録装置１により記録可能な最大の記録紙サイズの半分以下ではない場合（Ｓ２：ＮＯ）、複数丁掛記録による画像の記録は行えないため、一丁掛記録により画像を記録する（Ｓ５）。なお、前記操作部６において予め出力倍率の設定が行われていない場合には、原稿読取部５で検出された原稿のサイズが原稿の画像データが記録される記録紙のサイズとしてＲＡＭ４に記憶される。
【００３９】
前記Ｓ２において、画像が記録される記録紙のサイズがこの画像読取記録装置１により記録可能な最大の記録紙サイズの半分以下である場合（Ｓ２：ＹＥＳ）、前記操作部６においてスタートキー押下前に設定され予めＲＡＭ４に記憶されている記録部数が２部以上であるか否かを判断する（Ｓ３）。記録部数が２部以上ではない場合（Ｓ３：ＮＯ）、上記の通り原稿の枚数は１枚で記録部数は１部と判断できるので、記録枚数は１枚であるため一丁掛記録により画像を記録する（Ｓ５）。一方、記録部数が２部以上である場合（Ｓ３：ＹＥＳ）、原稿の枚数は１枚で記録部数は２部以上と判断できるので、記録枚数は２枚以上であるため二丁掛記録により画像を記録する（Ｓ４）。
【００４０】
一方、原稿が自動原稿給送部（ＡＤＦ）５ａに載置されている場合（Ｓ１：ＡＤＦ）、自動原稿給送部５ａで検出された原稿のサイズ及び前記操作部６においてスタートキー押下前に設定されている出力倍率に基づいて予めＲＡＭ４に記憶されている記録紙のサイズがこの画像読取記録装置１により記録可能な最大の記録紙サイズの半分以下であるか否かを判断する（Ｓ６）。そのサイズが半分以下ではない場合（Ｓ６：ＮＯ）、複数丁掛記録により画像を記録することはできないため、一丁掛記録により画像を記録する（Ｓ１１）。一方、Ｓ６において原稿の画像データが記録される記録紙のサイズがこの画像読取記録装置１により記録可能な最大の記録紙サイズの半分以下である場合（Ｓ６：ＹＥＳ）、１枚目の原稿の画像データを読み取る（Ｓ７）。そして、ここで原稿が載置されているのは自動原稿給送部５ａであり原稿の枚数が２枚以上である可能性があるので、１枚目の原稿を読み取った段階で次ページの原稿があるか否かの検出を行い（Ｓ８）、次ページの原稿が検出された場合（Ｓ８：ＹＥＳ）、記録枚数は２枚以上となるので二丁掛記録により画像を記録する（Ｓ９）。
【００４１】
一方、前記Ｓ８で自動原稿給送部５ａ上に次ページの原稿が検出されなかった場合（Ｓ８：ＮＯ）、原稿は１枚であるため前記操作部６において予め設定されている記録部数が２部以上であるか否かを判断する（Ｓ１０）。記録部数が２部以上である場合（Ｓ１０：ＹＥＳ）、原稿の枚数は１枚で記録部数は２部以上と判断できるので、記録枚数は２枚以上であるため前記Ｓ７で読み取られた原稿の画像データを前記中間転写ドラム２５上に２つ形成させ、二丁掛記録によりその画像を記録する（Ｓ９）。また、前記操作部６において設定された記録部数が１部である場合（Ｓ１０：ＮＯ）、原稿の枚数は１枚で記録部数は１部と判断できるので、記録枚数は１枚であるため前記Ｓ７で読み取られた画像データを一丁掛記録により記録する（Ｓ１１）。
【００４２】
なお、前記操作部６において予めソートの設定が行われている場合には、以上説明した図５に示したフローチャートに基づいて行われる記録部数の判断においては、記録部数は２部以上であると判断される。また、二丁掛記録により画像が記録される場合であっても、画像が記録される記録枚数が奇数枚である場合には、最後の記録紙への画像の記録は一丁掛記録により行われる。
【００４３】
以上、本発明の実施の形態では複数丁掛記録の例として二丁掛記録について説明したが、記録可能な最大の記録紙サイズの中に３枚以上入るサイズの記録紙が指定された場合に、１回の記録プロセスにより３枚以上の記録紙のそれぞれに画像を記録する場合にも、当然に本発明を適用することは可能である。
【００４４】
【発明の効果】
請求項１記載の画像読取記録装置によれば、画像が記録される記録紙のサイズ及び記録枚数に基づいて複数丁掛記録が可能か否かを判断するため、複数枚の原稿の画像データの読み取りが完了していなくても複数丁掛記録が実行可能か否かを判断できるので、読み取った画像データの情報から複数丁掛記録が実行可能か否かを判断する画像読取記録装置に比べ、より早い段階で複数丁掛記録が実行可能か否かを判断することができる。
【００４５】
請求項２記載の画像読取記録装置によれば、画像が記録される記録紙のサイズがこの装置により記録可能な最大の記録紙サイズの半分以下であって、原稿が自動原稿給送部に載置され１枚目の原稿を読み取った段階で次ページの原稿を検出した場合、或いは、原稿がフラットベッド読取部又は自動原稿給送部に載置され記録部数が２部以上である場合に複数丁掛記録を選択して実行し、その他の場合は一丁掛記録を選択して実行するので、複数丁掛記録が実行可能か否かを容易に判断して制御することが可能である。
【００４６】
請求項３記載の画像読取記録装置によれば、複数枚の原稿を読み取って複数丁掛記録を実行する場合に、複数枚の原稿の画像データについて少なくとも第１の色彩データへの変換が完了した後に記録紙への記録動作を開始するので、各ページ毎にｎ種全ての色彩データへの変換を行って複数丁掛記録を行う従来の画像読取記録装置に比べて、より早く記録動作を開始することが可能である。
【図面の簡単な説明】
【図１】本発明の実施の形態に係る画像読取記録装置の内部構成の一例を説明するための図である。
【図２】二丁掛記録が可能な記録部の概略図である。
【図３】原稿読取部で読み取られた原稿の画像データに対して行われる画像処理のデータ転送の流れを示した図である。
【図４】二丁掛記録が行われる場合の画像読取記録装置における動作シーケンスを示した図である。
【図５】二丁掛記録が可能であるか否かを判断するための動作を説明するためのフローチャートである。
【図６】従来の画像読取記録装置における二丁掛記録が可能か否かの判断及び印刷手順を説明するための図である。
【符号の説明】
１  画像読取記録装置
２  制御部（ＭＰＵ）
４  ＲＡＭ
５  原稿読取部
５ａ  自動原稿給送部（ＡＤＦ）
５ｂ  フラットベッド読取部（ＦＢＳ）
６  操作部
１１  変換回路
１２  メモリ管理回路
１３  コーデック
１４  画像メモリ
１５  記録部
【図１】
2004158959.tif 000003
【図２】
2004158959.tif 000004
【図３】
2004158959.tif 000005
【図４】
2004158959.tif 000006
【図５】
2004158959.tif 000007
【図６】
2004158959.tif 000008